(57)【特許請求の範囲】
【請求項１】
エントランスに設置されて居住者を呼び出すための集合玄関機と、各居室に設置されて呼び出しに応答するための居室親機と、管理人が使用するための管理室親機と、通話路を制御するための制御機とを有する集合住宅インターホンシステムにおいて、
前記管理室親機により映像送信操作が可能な映像送信手段を備えると共に、前記居室親機に映像記憶手段と、映像出画手段と、映像送信があったことを報知する報知手段とを備え、
前記制御機は、前記管理室親機から居室親機を特定して映像送信操作が成されると、映像送信を通知する通知信号と共に前記映像送信手段によって作成された映像を居室親機に送信し、
前記居室親機は、前記通知信号を受けて前記映像記憶手段の状態を判断して、録画可と判断した場合は送信された映像を記憶し、記憶不可と判断した場合は使用不可信号を前記制御機に返信して前記報知手段を報知動作させる親機制御手段を有することを特徴とする集合住宅インターホンシステム。
【請求項２】
前記映像記憶手段が着脱自在な記憶媒体であって、前記記憶媒体が取り外された場合に、前記親機制御手段は、前記映像記憶手段が使用不可であると判断して前記使用不可信号を制御機に返信することを特徴とする請求項１記載の集合住宅インターホンシステム。
【請求項３】
前記制御機及び前記管理室親機の少なくとも一方には、補助映像記憶手段が設けられると共に、前記制御機は使用不可信号を発した居室親機ＩＤを記憶する親機ＩＤ記憶部を有し、
前記制御機は、前記使用不可信号を受信したら、送信した前記映像を前記補助映像記憶手段に保存すると共に、前記使用不可信号を受けてから所定時間経過後に前記使用不可信号を送信した居室親機に対して映像の再送信を実施することを特徴とする請求項１又は２記載の集合住宅インターホンシステム。
【請求項４】
個々の居室親機にはカメラ付玄関子機が接続され、前記居室親機が前記玄関子機と通話中に前記映像送信手段から映像が送信された場合には、前記居室親機は、玄関子機との通話を維持した状態で前記映像出画手段には前記映像送信手段から送信された映像を記録をしている旨をしらせるメッセージを表示させて録画する制御を行う録画制御手段を有することを特徴とする請求項１乃至３の何れかに記載の集合住宅インターホンシステム。
【発明の詳細な説明】
【技術分野】
【０００１】
本発明は、集合住宅インターホンシステムに関し、詳しくは管理室親機から居室親機に映像情報を送信できる集合住宅インターホンシステムに関する。
【背景技術】
【０００２】
集合住宅インターホンシステムにおいて、管理室親機から居室親機に映像によるメッセージを送信でき、居室親機にてモニタにその情報を出画できるようにしたシステムがある。例えば、特許文献１に記載されたシステムでは、制御機に接続された映像送出機を管理室親機で操作して映像送出動作を実施し、制御機を経由して指定した居室親機に映像情報を送信するよう構成されている。そして、送信された映像情報は、居室親機に設けられた録画メモリに保存され、居住者が出画操作を行うことでその映像情報を見ることができる。こうして映像により情報を送信できることで、言葉で説明できないような図面情報の送信や、回覧情報を伝えたい場合に便利なものとなっている。
【特許文献１】特開平９−２３８３２７号公報
【発明の開示】
【発明が解決しようとする課題】
【０００３】
しかしながら、上記従来の集合住宅インターホンシステムにおいては、居室親機が待受状態に有る時は送られてきた映像をスムーズに録画できるが、居室親機が使用中の場合や録画メモリに不具合が発生した場合は録画できなかった。特に録画メモリが取り外されたり故障が発生した場合、その状況を認識できず長期間に亘り録画できない状況が発生することがあった。
一方、映像を送信した管理人においても、送信できない状態を把握できなかったり、送信できない場合に再送信をし忘れる状況が発生し、居住者と管理人の間で認識の不一致が生じてお互いに迷惑を掛ける事があった。
【０００４】
そこで、本発明はこのような問題点に鑑み、管理室親機から居室親機に送信された映像メッセージが居室親機で録画できない状態にある場合は、居住者に対して少なくとも管理人から映像メッセージの送信があったことを通知できる集合住宅インターホンシステムを提供することを目的としている。
【課題を解決するための手段】
【０００５】
上記課題を解決する為に、請求項１に記載の発明は、エントランスに設置されて居住者を呼び出すための集合玄関機と、各居室に設置されて呼び出しに応答するための居室親機と、管理人が使用するための管理室親機と、通話路を制御するための制御機とを有する集合住宅インターホンシステムにおいて、管理室親機により映像送信操作が可能な映像送信手段を備えると共に、居室親機に映像記憶手段と、映像出画手段と、映像送信があったことを報知する報知手段とを備え、制御機は、管理室親機から居室親機を特定して映像送信操作が成されると、映像送信を通知する通知信号と共に映像送信手段によって作成された映像を居室親機に送信し、居室親機は、通知信号を受けて前記映像記憶手段の状態を判断して、録画可と判断した場合は送信された映像を記憶し、記憶不可と判断した場合は使用不可信号を制御機に返信して報知手段を報知動作させる親機制御手段を有することを特徴とする。
この構成により、管理人から送信された映像情報が居室親機で録画できない状態にあっても、少なくとも居住者は管理人から映像送信があったことを認識でき、居住者と管理人との間で認識の不一致が生ずることがない。また、映像記憶手段が使用不可の場合は制御機に使用不可信号を送信するので、制御機は映像を送れなかったことを認識でき、再送信操作を自動で行う事も可能となる。
【０００６】
請求項２の発明は、請求項１に記載の発明において、映像記憶手段が着脱自在な記憶媒体であって、記憶媒体が取り外された場合に、親機制御手段は、映像記憶手段が使用不可であると判断して使用不可信号を制御機に返信することを特徴とする。
この構成により、記憶媒体を着脱自在に構成しても、居室親機は良好な動作を維持できる。そのため、記憶媒体を持ち出してパーソナルコンピュータ等に付け替えることができ、伝送されてきた映像情報を居住者の目的や好みに合わせて容易に加工することができる。
【０００７】
請求項３の発明は、請求項１又は２に記載の発明において、制御機及び管理室親機の少なくとも一方には、補助映像記憶手段が設けられると共に、制御機は使用不可信号を発した居室親機ＩＤを記憶する親機ＩＤ記憶部を有し、制御機は、使用不可信号を受信したら、送信した映像を補助映像記憶手段に保存すると共に、使用不可信号を受けてから所定時間経過後に使用不可信号を送信した居室親機に対して映像の再送信を実施することを特徴とする。
この構成によれば、制御機が何れの居室親機で映像の保存が失敗したのかを把握し、所定時間経過後に失敗した居室親機に対して映像を再送信するので、確実に管理人から送信された映像を居住者に配信できる。
【０００８】
請求項４の発明は、請求項１乃至３の何れかに記載の発明において、個々の居室親機にはカメラ付玄関子機が接続され、居室親機が玄関子機と通話中に映像送信手段から映像が送信された場合には、居室親機は、玄関子機との通話を維持した状態で映像出画手段には映像送信手段から送信された映像を記録をしている旨をしらせるメッセージを表示させて録画する制御を行う録画制御手段を有することを特徴とする。
この構成により、居室親機が玄関子機と通話中の場合は、映像をその居室親機に送信できるし、居室親機側でそれを表示するので、居住者は通話中であってもそれを知ることができる。
【発明の効果】
【０００９】
本発明によれば、管理人から送信された映像が居室親機で保存できない状態にあっても、少なくとも居住者に管理人から映像送信があったことを知らせることができる。また、制御機が何れの居室親機で映像の保存が失敗したのかを把握し、所定時間経過後に失敗した居室親機に対して映像を再送信するので、確実に管理人から送信された映像を居住者に配信できる。
【発明を実施するための最良の形態】
【００１０】
以下、本発明を具体化した実施の形態を、図面に基づいて詳細に説明する。図１は本発明に係る集合住宅インターホンシステムの一例を示す構成図であり、１はエントランスに設置されて居住者を呼び出すための集合玄関機、２は各居室に設置されて呼び出しに応答するための居室親機、３は管理人が使用するための管理室親機、４は通話路及び映像路を制御するための制御機、５は個々の居室の玄関に設置されて居住者を呼び出すための玄関子機、６は映像情報を読み込んで送出する映像送信装置である。
【００１１】
また、集合玄関機１、管理室親機３、映像送信手段６は夫々伝送線Ｌ１，Ｌ２，Ｌ３で制御機４に接続され、居室親機２は制御機幹線Ｌ４に夫々通話路及び映像路の接続操作を行う住戸アダプタ７を介して接続されている。また、集合玄関機１、玄関子機５は共に来訪者を撮像するカメラ１ａ，５ａを備え、居室親機２にはカメラ１ａ，５ａが撮像した映像を出画するモニタ２ａを備えている。
【００１２】
居室親機２は、図２の回路ブロック図に示すように構成されている。１１は伝送されてきた映像信号を復調する復調回路、１２は送話／受話を切り替えて通話を制御する通話回路、１３はマイク、１４はスピーカ、１５はメッセージを録音する録音メモリ、１６は映像を録画する録画メモリ、１７は各種操作を行う操作部、１８はメッセージ或いは映像メッセージ有りを通知する報知手段としての通知ＬＥＤ、１９は住戸アダプタ７や玄関子機５を接続するための親機ＩＦ（インターフェイス）、２０は居室親機を制御する親機ＣＰＵである。
但し、録画メモリ１６は着脱自在な記憶媒体であり、例えばメモリスティックやＳＤカード（登録商標）で構成されている。そのため居室親機２のハウジングには録画メモリ１６を接続するためのメモリ端子（図示せず）が設けられ、録画メモリ１６はメモリ端子を介して取り付けられている。また、操作部１７はモニタ２ａ前面に設けられたタッチパネルにより構成されている。
【００１３】
制御機４は、図３の回路ブロック図に示すように構成されている。２５は集合玄関機１や管理室親機３、更に映像送信装置６を接続するための第１ＩＦ（インターフェイス）、２６は制御機幹線Ｌ４を接続する第２ＩＦ（インターフェイス）、２７は各機器間の通話路を形成する通話路形成部、２８は受信信号情報や映像情報等を記憶する制御機メモリ、２９は制御機４を制御する制御機ＣＰＵ、３０は所定時間を計時するタイマである。
また、映像送信装置６は、映像を取り込むカメラ、取り込んだ映像を記憶するメモリ、取り込んだ映像を変調する変調回路、撮像及び映像信号の出力操作を行う操作部等を有した公知の装置（資料提示装置の呼称で利用されている。）であり、印刷物や立体物を容易に撮像して映像として出力可能となっている。
【００１４】
このように構成された集合住宅インターホンシステムの動作を以下に説明する。尚、集合玄関機１或いは玄関子機５からの呼び出し操作、その後の居室親機２を操作しての通話、またオートドアの解錠等の動作については従来と同様であるので説明を省略し、ここでは管理室親機３から映像や画像によるメッセージ（以下、単に映像或いは映像情報とする）を居室親機２に送信する場合の動作を図４のフローチャートに基づいて説明する。
【００１５】
管理人が居住者に対して映像を送信する場合、先ず映像送信装置６に映像として送りたいものをセットして、操作部を操作して撮像操作する。尚、映像送信装置６は、制御機４と合わせて管理室に設置されている。
この操作で、送信すべき映像情報が映像送信装置６内のメモリに一旦記憶される。次に管理室親機３の操作部を操作して、送信先の居室親機を特定して画像送信ボタン（図示せず）を押す（Ｓ１）。制御機４は、この操作を受けて映像送信装置６が出力している映像情報を居室親機２に向けて所定時間送信する制御を行う。この間映像情報は全居室（全居室親機２，２・・）に向けて送信される。
【００１６】
また制御機４は同時に、管理室親機３で指定された居室親機２に対して通知信号を送出する。居室親機２の親機ＣＰＵ２０は、制御機４が送信した通知信号を受信すると、録画メモリ１６が録画可かどうか判断し（Ｓ２）、録画可で有れば住戸アダプタ７を操作して映像路を形成し、録画メモリ１６に送信された映像を記憶する。これにより、管理室親機３で指定した居室親機２のみで録画が行われる（Ｓ４）。
そして、この録画が完了したら、録画した居室親機２の親機ＣＰＵ２０は、新着映像があることをモニタ２ａに表示すると共に報知手段としての通知ＬＥＤ１８を点灯（Ｓ１２）させて居住者に知らせる制御を行う。尚、録画可／不可の判断は、例えば録画メモリ１６接続端子の端子電圧で判定できる。
【００１７】
以上は、録画メモリ１６が居室親機２に接続され、正常に録画が実施される場合の動作を説明したが、管理室親機３で指定された居室親機２の録画メモリ１６が取り外されている場合等、録画できない状態となっている場合には、次のように動作する。
映像を録画することができない場合、通知信号を受けた居室親機２の親機ＣＰＵ２０は、玄関子機５と通話中であるか判断（Ｓ３）し、通話中でない場合は制御機４に対して録画不可信号を送出する（Ｓ６）。この録画不可信号を制御機４が受信すると、制御機ＣＰＵ２９は、制御機メモリ２８を補助映像記憶手段として使用し、送信操作された映像を保存する（Ｓ７）と共に、録画不可である居室親機２のＩＤ情報や配信日時情報等も記憶させる。
【００１８】
一方、親機ＣＰＵ２０は、録画できなかったことを知らせるために通知ＬＥＤ１８を上記映像受信とは異なる動作パターン或いは色で点灯或いは点滅表示させ（Ｓ８）、同時にモニタ２ａに録画できなかったことを知らせる画面を表示する制御がなされる。
【００１９】
制御機ＣＰＵ２９は、制御機メモリ２８に映像を保存した時点からタイマ３０を起動（Ｓ９）して、所定時間に計時を開始する。そして、配信日時から所定時間経過した後に録画不可であった居室親機２に対して制御機メモリ２８に記憶されている映像情報を再送する制御を実施する（Ｓ１０）。
このときに居室親機２が録画可能な状況となっている場合には、録画が実施（Ｓ１１）され、制御機メモリ２８の録画データは消去される。録画が完了したら、録画した居室親機２の親機ＣＰＵ２０は、映像が録画されたことをモニタ２ａに表示すると共に通知ＬＥＤ１８を点灯させて居住者に知らせる制御を行う（Ｓ１２）。尚、再送時にも録画不可となった場合には、所定時間経過後にこの再送制御を繰返して行われる。
こうして、確実に映像を居室親機に録画させることが可能となる。
【００２０】
以上は居室親機２の録画メモリ１６に不具合が発生した場合の録画動作を説明したが、居室親機２が玄関子機５と通話中の場合は次のように録画動作する。居室親機２が映像メッセージを受信したら、親機ＣＰＵ２０は親機モニタ２ａに出画している玄関子機カメラ５ａの撮像映像の出画を停止して、映像メッセージを受信している旨の画面を出画させる（Ｓ５）。その後、映像受信が終了したら、映像を録画したことを画面上で通知し、通知ＬＥＤ１８を点灯させて居住者に知らせる制御を行う（Ｓ１２）。
尚、この場合、玄関子機５との通話回路は保持され、通話は引き続き可能となっている。また、メッセージ画面は、予め作成されて録画メモリ或いは図示しない画面メモリに保存されている。更に、居室親機２が集合玄関機１と通話中の場合は、制御機４がそれを把握しているので、管理人も映像メッセージを送信できないことを容易に認識できる。
【００２１】
このように、管理人から送信された映像情報が居室親機で録画できない状態にあっても、少なくとも居住者は管理人から映像送信があったことを認識でき、居住者と管理人との間で認識の不一致が生ずることがない。
そして、制御機が何れの居室親機で映像の保存が失敗したのかを把握し、所定時間経過後に失敗した居室親機に対して映像を再送信するので、確実に管理人から送信された映像を居住者に配信できる。そのため、管理人は、映像の送信ができない場合であっても、再送信操作をする必要がなくなる。
また、記憶媒体を着脱自在に構成しても、居室親機は良好な動作を維持できる。そのため、記憶媒体を持ち出したりパーソナルコンピュータ等に付け替えることができ、伝送されてきた映像情報を居住者の目的や好みに合わせて容易に加工することができる。
また、居室親機が玄関子機と通話中の場合であっても、映像を居室親機に送信できるし、居室親機側でそれを表示するので、居住者は通話中であってもそれを知ることができる。
【００２２】
尚、上記実施形態では、居室親機２が録画できない場合、制御機４に映像を保存させているが、管理室親機３に映像を保存させてもよい。また、補助映像記憶手段（制御機メモリ２８）を設けずに、映像を送信できない場合は、映像送信有りを認識した居住者からの問い合わせを待って、管理人が再送信操作する構成としてもよい。
更に、玄関子機５と通話中の場合に、映像メッセージの録画を優先させて、その間は玄関子機カメラ５ａの映像が出画されない構成となっているが、玄関子機カメラ５ａの映像出画を優先させて、映像メッセージは制御機メモリに一旦保存させてもよい。
【図面の簡単な説明】
【００２３】
【図１】本発明に係る集合住宅インターホンシステムの実施形態の一例を示す構成図である。
【図２】図１の居室親機の回路ブロック図である。
【図３】図１の制御機の回路ブロック図である。
【図４】管理室親機から映像メッセージを送信する流れを示すフローチャートである。
【符号の説明】
【００２４】
１・・集合玄関機、２・・居室親機、２ａ・・モニタ（映像出画手段）、３・・管理室親機、４・・制御機、５・・玄関子機、６・・映像送信装置（映像送信手段）、１６・・録画メモリ（映像記憶手段、記憶媒体）、１８・・通知ＬＥＤ（報知手段）、２０・・親機ＣＰＵ（親機制御手段、録画制御手段）、２８・・制御機メモリ（補助映像記憶手段、親機ＩＤ記憶部）、２９・・制御機ＣＰＵ、３０・・タイマ。
【図１】
0004709660.tif 000002
【図２】
0004709660.tif 000003
【図３】
0004709660.tif 000004
【図４】
0004709660.tif 000005